(57)【要約】  本開示は被削材を切削するための切削工具組立体を提供する。切削工具組立体は第１〜第４インサートコーナ部を含むように四角形の形状を有する上面を備えるインサート及びインサートを支持するように構成されたシムを含む。インサートは第１〜第６傾斜装着部がそれぞれ形成された上面及び下面を含む。シムは、第１〜第３傾斜装着部を同時に支持するか、または、第４〜第６傾斜装着部を同時に支持する。【選択図】図４
2021519218.tif 000002
【特許請求の範囲】
【請求項１】
被削材を切削するための切削工具組立体に用いられるインサートであって、
四角形の形状を有する前記インサートの上面の各コーナに形成された第１〜第４インサートコーナ部；
前記第１〜第４インサートコーナ部の間に配置され、インサートの中心を通るように前記上面の前記四角形の形状に対して垂直方向に配置された厚さ方向中心線を有するインサート中央部；
前記第１インサートコーナ部と前記インサート中央部との間で前記四角形の形状に対する垂直厚さが前記厚さ方向中心線に向かうほど減少するように形成される第１傾斜装着部；及び
前記四角形の形状に対する垂直厚さが前記厚さ方向中心線に向かうほど増加するように前記厚さ方向中心線を基準に前記第３インサートコーナ部側への前記第２及び第４インサートコーナ部のそれぞれに形成される第２及び第３傾斜装着部を含む、インサート。
【請求項２】
前記第３インサートコーナ部と前記インサート中央部との間で前記四角形の形状に対する垂直厚さが前記厚さ方向中心線に向かうほど減少するように形成される第４傾斜装着部；及び
前記四角形の形状に対する垂直厚さが前記厚さ方向中心線に向かうほど増加するように前記厚さ方向中心線を基準に前記第１インサートコーナ部側への前記第２及び第４インサートコーナ部のそれぞれに形成される第５及び第６傾斜装着部をさらに含む、請求項１に記載のインサート。
【請求項３】
前記厚さ方向中心線に垂直になるように前記インサートの中心を通る長手方向中心線をさらに含み、
前記第１〜第３傾斜装着部のそれぞれは第１〜第３接点を含み、
前記第１接点と前記第２または第３接点を連結した線は、前記長手方向中心線と所定の角度をなす、請求項１に記載のインサート。
【請求項４】
前記第２インサートコーナ部及び前記第４インサートコーナ部のそれぞれから前記第１インサートコーナ部及び前記第３インサートコーナ部に延長するように形成されて前記被削材を切削するようにそれぞれ構成された第１切削部及び第２切削部をさらに含み、
前記第１及び第２切削部のそれぞれは、前記被削材と接触するように構成された第１切削刃先及び第２切削刃先を含み、
前記第２及び第３接点は、前記第１接点を通りながら前記第１切削部の前記第１切削刃先に平行に延長する直線に対して前記長手方向中心線を基準に上側に位置する、請求項３に記載のインサート。
【請求項５】
前記第１〜第３傾斜装着部のそれぞれは、平面で形成される第１〜第３装着面を含む、請求項１に記載のインサート。
【請求項６】
前記第２及び第５傾斜装着部は、前記厚さ方向中心線を中心に互いに反対方向に傾くように構成され、
前記第３及び第６傾斜装着部は、前記厚さ方向中心線を中心に互いに反対方向に傾くように構成される、請求項２に記載のインサート。
【請求項７】
前記第１及び第２切削部のそれぞれは、複数の凸面及び複数の凹面が繰り返される凹凸面を含む、請求項４に記載のインサート。
【請求項８】
前記第１切削刃先及び前記第２切削刃先は、４０°〜５０°の間の角度を形成するように構成される、請求項４に記載のインサート。
【請求項９】
前記長手方向中心線と前記第１及び第４傾斜装着部のそれぞれは、１０°〜１５°の間の角度を形成するように構成される、請求項３に記載のインサート。
【請求項１０】
被削材を切削するための切削工具組立体であって、
第１〜第４インサートコーナ部が各コーナに形成されるように四角形の形状を有する上面を備えるインサート、前記インサートは、
前記第１〜第４インサートコーナ部の間に配置され、インサートの中心を通るように前記四角形の形状に対して垂直方向に配列される厚さ方向中心線を有するインサート中央部、
前記第２インサートコーナ部及び前記第４インサートコーナ部から前記第１インサートコーナ部及び前記第３インサートコーナ部にそれぞれ延長するように形成されて前記被削材を切削するように構成された第１切削部及び第２切削部、
前記第１切削部と前記インサート中央部との間に形成され、前記四角形の形状に対する垂直厚さが前記四角形の形状に対して垂直方向に配列されて前記インサートの中心を通る前記厚さ方向中心線に向かって減少するように構成された第１傾斜装着部、及び
前記四角形の形状に対する垂直厚さが、前記厚さ方向中心線に向かうほど増加するように前記厚さ方向中心線を基準に前記第３インサートコーナ部側への前記第２及び第４インサートコーナ部のそれぞれに形成された第２及び第３傾斜装着部を含む；及び
前記インサートを支持するように構成されたシム、前記シムは、
前記第１傾斜装着部を支持するように構成された第１傾斜支持部、
前記第１傾斜支持部から一側に延長形成されて前記第２傾斜装着部を支持するように構成された第２傾斜支持部、及び
前記第１傾斜支持部から他側に延長形成されて前記第３傾斜装着部を支持するように構成された第３傾斜支持部を含む；
を含む、切削工具組立体。
【請求項１１】
前記シムは、第１〜第４シムコーナ部を含むように四角形の形状を有する上面を備え、
前記第２傾斜支持部は、前記第２シムコーナ部に形成され、
前記第３傾斜支持部は、前記第４シムコーナ部に形成される、請求項１０に記載の切削工具組立体。
【請求項１２】
前記シムは、前記第１〜第４シムコーナ部の間に配置され、シムの中心を通るように前記シムの前記上面の前記四角形の形状に対して垂直方向に配列される厚さ方向中心線を有するシム中央部を含み、
前記第１傾斜支持部は、前記厚さ方向中心線の一側に配置され、前記第２及び第３傾斜支持部は前記厚さ方向中心線の他側に配置される、請求項１１に記載の切削工具組立体。
【請求項１３】
前記シム中央部は、前記厚さ方向中心線に向かって凹むように前記第２傾斜支持部及び前記第３傾斜支持部の間に形成される凹部を含む、請求項１２に記載の切削工具組立体。
【請求項１４】
被削材を切削するための切削工具組立体であって、
前記被削材を切削するように構成された第１〜第４切削部、及びインサートの中心を通るように上面の四角形の形状に対して垂直方向に配列される厚さ方向中心線を有するインサート中央部を含むインサート、前記インサートは、
前記ｓインサート中央部に向かって第１方向に傾く第１切削部、前記インサート中央部に向かって第２方向に傾く第２切削部、前記第１方向に傾く３つの傾斜装着部及び前記第２方向に傾く３つの傾斜装着部を含む上面、及び
前記インサート中央部に向かって前記第２方向に傾く第３切削部、前記インサート中央部に向かって第１方向に傾く第４切削部、前記第２方向に傾く３つの傾斜装着部及び前記第１方向に傾く３つの傾斜装着部を含む下面を含む；及び
前記インサートを収容する収容部を有するホルダー；及び
前記インサートが前記収容部に収容されるように前記インサートの前記上面または前記下面を支持するように構成されたクランプ
を含む、切削工具組立体。
【請求項１５】
前記第１方向に傾く３つの傾斜装着部は
前記第１インサートコーナ部と前記インサート中央部との間で前記四角形の形状に対する垂直厚さが前記厚さ方向中心線に向かうほど減少するように形成される第１傾斜装着部；及び
前記四角形の形状に対する垂直厚さが前記厚さ方向中心線に向かうほど増加するように前記厚さ方向中心線を基準に前記第３インサートコーナ部側への前記第２及び第４インサートコーナ部のそれぞれに形成される第２及び第３傾斜装着部を含み、
前記第２方向に傾く３つの傾斜装着部は、
前記第３インサートコーナ部と前記インサート中央部との間で前記四角形の形状に対する垂直厚さが前記厚さ方向中心線に向かうほど減少するように形成される第４傾斜装着部、及び
前記四角形の形状に対する垂直厚さが前記厚さ方向中心線に向かうほど増加するように前記厚さ方向中心線を基準に前記第１インサートコーナ部側への前記第２及び第４インサートコーナ部のそれぞれに形成される第５及び第６傾斜装着部を含む、請求項１４に記載の切削工具組立体。
【請求項１６】
前記収容部の底面は、前記インサートの前記上面または前記下面と相補的な形状を有するように構成された、請求項１４に記載の切削工具組立体。
【請求項１７】
前記ホルダーには前記クランプの一部を収容するための溝が形成され、
前記クランプは、前記インサートの開口に挿入される第１突出部及び前記溝に挿入される第２突出部を含む、請求項１４に記載の切削工具組立体。
【発明の詳細な説明】
【技術分野】
【０００１】
本開示は、インサート及びこれを含む切削工具組立体に関するものである。
【背景技術】
【０００２】
切削工具は、主に鉄系または非鉄系金属の切削に用いられるものであって、様々な方式の工作機械に固定させて用いられる。切削工具を用いて金属を切削する方法として、例えば、回転する金属製の被削材に切削工具の切刃を接触させて切削をする方式がある。これと異なる方式として、切刃を有する切削インサートを工具ホルダーに固定し、工具ホルダーを工作機械に固定させた後、工具ホルダーの回転を介して切削インサートを回転させながら切削インサートを予め固定された被削材に接触させて、被削材を所望の形状に加工する方式がある。
【０００３】
被削材と直接的に接触する切削インサートは、金属の切削加工において最も重要な要素である。また、切削インサートの材質及び形状は、切削工具の寿命及び加工品質に影響を及ぼす。また、切削インサートを用いて被削材の対象加工部分を切削して除去させる時に、チップの形態で発生する金属スクラップを切削領域から安全に排出させる必要がある。従って、連続的に行われる切削加工工程を中断させたり作業者の身体に傷害を発生させたりせずに、作業領域からチップ形態の金属スクラップを安全かつ確実に排出させ得る切削インサートを開発しようとする努力がなされてきた。
【発明の概要】
【発明が解決しようとする課題】
【０００４】
本開示の多様な実施例は、４つの切削コーナを有するように構成された両面型切削インサート及び切削インサートの３面を支持するように構成されたシムを含む切削工具組立体を提供する。
【課題を解決するための手段】
【０００５】
本開示の一実施例による被削材を切削するための切削工具組立体に用いられるインサートは、四角形の形状を有する前記インサートの上面の各コーナに形成された第１〜第４インサートコーナ部；前記第１〜第４インサートコーナ部の間に配置され、インサートの中心を通るように、前記上面の前記四角形の形状に対して垂直方向に配置された厚さ方向中心線を有するインサート中央部；前記第１インサートコーナ部と前記インサート中央部との間で前記四角形の形状に対する垂直厚さが、前記厚さ方向中心線に向かうほど減少するように形成される第１傾斜装着部；及び前記四角形の形状に対する垂直厚さが、前記厚さ方向中心線に向かうほど増加するように、前記厚さ方向中心線を基準に、前記第３インサートコーナ部側への前記第２及び第４インサートコーナ部のそれぞれに形成される第２及び第３傾斜装着部を含み得る。
【０００６】
一実施例によると、前記インサートは、前記第３インサートコーナ部と前記インサート中央部との間で前記四角形の形状に対する垂直厚さが、前記厚さ方向中心線に向かうほど減少するように形成される第４傾斜装着部；及び前記四角形の形状に対する垂直厚さが、前記厚さ方向中心線に向かうほど増加するように前記厚さ方向中心線を基準に前記第１インサートコーナ部側への前記第２及び第４インサートコーナ部のそれぞれに形成される第５及び第６傾斜装着部をさらに含み得る。
【０００７】
一実施例によると、前記インサートは、前記厚さ方向中心線に垂直になるように前記インサートの中心を通る長手方向中心線をさらに含み、前記第１〜第３傾斜装着部のそれぞれは第１〜第３接点を含み、前記第１接点と前記第２または第３接点を連結した線は、前記長手方向中心線と所定の角度をなし得る。
【０００８】
一実施例によると、前記インサートは、前記第２インサートコーナ部及び前記第４インサートコーナ部のそれぞれから前記第１インサートコーナ部及び前記第３インサートコーナ部に延長するように形成されて、前記被削材を切削するようにそれぞれ構成された第１切削部及び第２切削部をさらに含み、前記第１及び第２切削部のそれぞれは、前記被削材と接触するように構成された第１切削刃先及び第２切削刃先を含み、前記第２及び第３接点は、前記第１接点を通りながら前記第１切削部の前記第１切削刃先に平行に延長する直線に対して前記長手方向中心線を基準に上側に位置し得る。
【０００９】
一実施例によると、前記第１〜第３傾斜装着部のそれぞれは、平面で形成された第１〜第３装着面を含み得る。
【００１０】
一実施例によると、前記第２及び第５傾斜装着部は、前記厚さ方向中心線を中心に互いに反対方向に傾くように構成され、前記第３及び第６傾斜装着部は前記厚さ方向中心線を中心に互いに反対方向に傾くように構成され得る。
【００１１】
一実施例によると、前記第１切削部及び前記第２切削部のそれぞれは、複数の凸面及び複数の凹面が繰り返される凹凸面を含み得る。
【００１２】
一実施例によると、前記第１切削刃先及び前記第２切削刃先は、４０°〜５０°の間の角度を形成するように構成され得る。
【００１３】
一実施例によると、前記長手方向中心線と前記第１及び第４傾斜装着部のそれぞれは、１０°〜１５°の間の角度を形成するように構成され得る。
【００１４】
本開示の他の実施例による被削材を切削するための切削工具組立体では、第１〜第４インサートコーナ部を含むように四角形の形状に形成されたインサート、前記インサートは前記第１〜第４インサートコーナ部の間に配置され、インサートの中心を通るように前記四角形の形状に対して垂直方向に配列される厚さ方向中心線を有するインサート中央部、前記第２インサートコーナ部及び第前記４インサートコーナ部のそれぞれから前記第１インサートコーナ部及び前記第３インサートコーナ部にそれぞれ延長するように形成されて、被削材を切削するようにそれぞれ構成された第１切削部及び第２切削部、前記第１切削部と前記インサート中央部との間に形成され、前記四角形の形状に対する垂直厚さが、前記四角形の形状に対して垂直方向に配列されて前記インサートの中心を通る前記厚さ方向中心線に向かって減少するように構成された第１傾斜装着部、及び前記四角形の形状に対する垂直厚さが、前記厚さ方向中心線に向かうほど増加するように、前記厚さ方向中心線を基準に、前記第３インサートコーナ部側への前記第２及び第４インサートコーナ部のそれぞれに形成された第２及び第３傾斜装着部を含む；及び前記インサートを支持するように構成されたシム、前記シムは、前記第１傾斜装着部を支持するように構成された第１傾斜支持部、前記第１傾斜支持部から一側に延長形成されて前記第２傾斜装着部を支持するように構成された第２傾斜支持部、及び前記第１傾斜支持部から他側に延長形成されて前記第３傾斜装着部を支持するように構成された第３傾斜支持部を含む；を含み得る。
【００１５】
一実施例によると、前記シムは、第１〜第４シムコーナ部を含むように四角形の形状に形成され得、前記第２傾斜支持部は、前記第２シムコーナ部に形成され、前記第３傾斜支持部は、前記第４シムコーナ部に形成され得る。
【００１６】
一実施例によると、前記シムは、前記第１〜第４シムコーナ部の間に配置され、シム中心を通るように前記四角形の形状に対して垂直方向に配列される厚さ方向中心線を有するシム中央部を含み得、前記第１傾斜支持部は前記厚さ方向中心線の一側に配置され、前記第２及び第３傾斜支持部は前記厚さ方向中心線の他側に配置され得る。
【００１７】
一実施例によると、前記シム中央部は、前記厚さ方向中心線に向かって凹むように前記第２傾斜支持部及び前記第３傾斜支持部の間に形成される凹部を含み得る。
【００１８】
本開示のさらに他の実施例による被削材を切削するための切削工具組立体は、前記被削材を切削するように構成された第１〜第４切削部及びインサートの中心を通るように四角形の形状に対して垂直方向に配列される厚さ方向中心線を有するインサート中央部を含むインサート、前記インサートは前記インサート中央部に向かって第１方向に傾く第１切削部、前記インサート中央部に向かって第２方向に傾く第２切削部が、前記第１方向に傾く３つの傾斜装着部及び前記第２方向に傾く３つの傾斜装着部を有する上面、及び前記インサート中央部に向かって前記第２方向に傾く第３切削部、前記インサート中央部に向かって前記第１方向に傾く第４切削部、前記第２方向に傾く３つの傾斜装着部及び前記第１方向に傾く３つの傾斜装着部を有する下面を含む；及び前記インサートを収容する収容部を有するホルダー；及び前記インサートが前記収容部に収容されるように前記インサートの前記上面または前記下面を支持するように構成されたクランプを含み得る。
【００１９】
一実施例によると、前記第１方向に傾く前記３つの傾斜装着部は、前記第１インサートコーナ部と前記インサート中央部との間で前記四角形の形状に対する垂直厚さが、前記厚さ方向中心線に向かうほど減少するように形成される第１傾斜装着部、及び前記四角形の形状に対する垂直厚さが、前記厚さ方向中心線に向かうほど増加するように、前記厚さ方向中心線を基準に、前記第３インサートコーナ部側への前記第２及び第４インサートコーナ部のそれぞれに形成される第２及び第３傾斜装着部を含み、前記第２方向に傾く前記３つの傾斜装着部は、前記第３インサートコーナ部と前記インサート中央部との間で前記四角形の形状に対する垂直厚さが、前記厚さ方向中心線に向かうほど減少するように形成される第４傾斜装着部、及び前記四角形の形状に対する垂直厚さが、前記厚さ方向中心線に向かうほど増加するように前記厚さ方向中心線を基準に前記第１インサートコーナ部側への前記第２及び第４インサートコーナ部のそれぞれに形成される第５及び第６傾斜装着部を含み得る。
【００２０】
一実施例によると、前記収容部の底面は、前記インサートの前記上面または下面と相補的な形状を有するように構成され得る。
【００２１】
一実施例によると、前記ホルダーには前記クランプの一部を収容するための溝が形成され、前記クランプは、前記インサートの開口に挿入される第１突出部及び前記溝に挿入される第２突出部を含み得る。
【発明の効果】
【００２２】
本開示の多様な実施例によると、切削インサートを用いて被削材を切削する過程において一定の形態を有する切削チップが生成され得る。また、切削加工の速度を向上させ得るため、切削加工工程の生産性を向上させ得る。また、一般的なターニング作業（フォワードターニング）及びバックターニング作業（バックワードターニング）がいずれも可能でありながらも、特に、加工方法上、ポジティブ切削刃先を形成しなければならないバックワードターニングにおいては、ポジティブ切削刃先を形成するにもかかわらず、チップの流れを妨害せずにもインサートを安定的に装着することができる。
【図面の簡単な説明】
【００２３】
【図１】本開示の一実施例による切削工具組立体を示す斜視図である。
【図２】図１に示す切削工具組立体の分解された様子を示す分解斜視図である。
【図３】図１に示す切削工具組立体をI-I方向に切断した断面図である。
【図４】図１に示す切削工具組立体をII-II方向に切断した断面図である。
【図５】本開示の一実施例によるインサートを示す斜視図である。
【図６】図５に示すインサートの上面を示す上面図である。
【図７】図５に示すインサートの第１側面を示す側面図である。
【図８】図５に示すインサートをIII-III方向に切断した断面図である。
【図９】本開示の一実施例によるシムを示す斜視図である。
【図１０】図９に示すシムをIV-IV方向に切断した断面図である。
【図１１】本開示の一実施例によるインサートとシムが分解された様子を示す分解斜視図である。
【図１２】図１１に示すインサートとシムが組み立てられた様子の側面を示す側面図である。
【図１３】本開示の一実施例による切削工具組立体が被削材を切削する過程をインサートの上面が見える方向に示す図である。
【図１４】本開示の一実施例による切削工具組立体が被削材を切削する過程をインサートの側面が見える方向に示す図である。
【図１５】本開示の一実施例によるインサートが被削材を切削する過程で発生するチップを示す図である。
【図１６】本開示の他の実施例による切削工具組立体の分解された様子を示す分解斜視図である。
【発明を実施するための形態】
【００２４】
本開示の実施例は、本開示の技術的思想を説明する目的で例示されたものである。本開示による権利範囲が以下に提示される実施例やこれらの実施例に関する具体的説明に限定されるものではない。
【００２５】
本開示に用いられる全ての技術的用語及び科学的用語は、異なって定義されない限り、本開示が属する技術分野で通常の知識を有する者に一般に理解される意味を有する。本開示に用いられる全ての用語は、本開示をさらに明確に説明する目的で選択されたものであり、本開示による権利範囲を制限するために選択されたものではない。
【００２６】
本開示で用いられる「含む」、「備える」、「有する」等のような表現は、当該表現が含まれる言句または文章で異なって言及されない限り、他の実施例を含む可能性を内包する開放型用語として理解されるべきである。
【００２７】
本開示で記述された単数型の表現は、異なって言及しない限り複数型の意味を含み得、これは請求の範囲に記載された単数型の表現にも同様に適用される。
【００２８】
本開示で用いられる「第１」、「第２」等の表現は、複数の構成要素を相互に区分するために用いられ、当該構成要素の順序または重要度を限定するものではない。
【００２９】
本開示で記載される寸法と数値は、記載された寸法と数値のみに限定されるものではない。異なって特定されない限り、このような寸法と数値は、記載された値及びこれを含む同等の範囲を意味するものとして理解され得る。例えば、本開示に記載された「４５°」という寸法は「約４５°」を含むものとして理解され得る。
【００３０】
本開示において、インサートまたはシムの長軸方向は「Ｘ軸方向」と定義され得る。また、インサートまたはシムの短軸方向は「Ｙ軸方向」と定義され得る。また、インサートまたはシムの厚さ方向と平行で、Ｘ軸方向及びＹ軸方向に垂直な方向は「Ｚ軸方向」と定義され得る。
【００３１】
本開示において、厚さ方向中心線は、インサートまたはシムの四角形の形状に対して垂直方向に配列されてインサートの中心またはシムの中心を通る線と定義され得る。また、厚さ方向中心線は、Ｚ軸方向と平行に配列され得る。
【００３２】
本開示において、長手方向中心線は、インサートまたはシムの厚さ方向中心線に垂直になるようにインサートの中心またはシム中心を通る線と定義され得る。また、長手方向中心線は、Ｘ軸方向と平行に配列され得る。
【００３３】
以下、添付の図面を参照し、本開示の実施例を説明する。添付の図面において、同一または対応する構成要素には同一の参照符号が付与されている。また、以下の実施例の説明において、同一または対応する構成要素を重複して記述することが省略され得る。しかし、構成要素に関する記述が省略されていても、そのような構成要素がある実施例に含まれないものとして意図されはしない。
【００３４】
図１は、本開示の一実施例による切削工具組立体（１）を示す斜視図である。
【００３５】
切削工具組立体（１）は、被削材を切削して所望の形態に加工するための切削機械（図示せず）に装着され得る。切削工具組立体（１）ｓは、インサート（１０）、シム（３０）、クランプ（７０）、ホルダー（５０）及び第１スクリュ（６０）を含み得る。インサート（１０）の下面はシム（３０）により支持され得、その上面はクランプ（７０）により支持され得る。または、インサート（１０）はその上面がシム（３０）により支持されてその下面がクランプ（７０）により支持されるように裏返され得る。第１スクリュ（６０）は、クランプ（７０）をホルダー（５０）に向かって加圧することができる。また、切削機械（図示せず）は、ホルダー（５０）の本体（５５）をホールディングすることができる。
【００３６】
図１に表示されたI-I線は、インサート（１０）の長軸方向に対応し、II-II線は、クランプ（７０）の長軸方向に対応し得る。I-I線とII-II線は、所定の角度を形成することができる。所定の角度は、例えば、９０°より小さい鋭角であってもよい。従って、クランプ（７０）は、インサート（１０）の上面または下面のよりも広い面積を支持することができる。
【００３７】
インサート（１０）は、加工中に発生する高い温度に耐えることができる十分な高温硬度、切削加工中に発生する衝撃や振動に容易に折れたり破損しないほどの強度、及び所望の形状に製造できる成形性などの条件を満たす材料から作られ得る。例えば、インサート（１０）の材料の例は、鋳造合金、超硬合金、または、セラミックと金属の焼結複合体であるサーメット等を含み得るが、これに制限されるものではない。
【００３８】
図２は、図１に示す切削工具組立体（１）の分解された様子を示す分解斜視図である。
【００３９】
一実施例において、ホルダー（５０）にはインサート（１０）及びシム（３０）の組立体を収容する収容部（５３）が形成され得る。収容部（５３）は、インサート（１０）及びシム（３０）の組立体に対応する形状を有し得る。第２スクリュ（４０）は、シム（３０）の中央に形成された開口（３１）を貫通することができる。第２スクリュ（４０）は、シム（３０）がホルダー（５０）に固定され得るように収容部（５３）の下面に形成された開口（５４）に結合され得る。
【００４０】
クランプ（７０）は、内部に開口（７１）が形成された「Ｔ字型」クランプであってもよい。ホルダー（５０）には、第１スクリュ（６０）との結合のためのスクリュ収容部（５１）が備えられ得る。第１スクリュ（６０）は、クランプ（７０）の開口（７１）を貫通してクランプ（７０）をホルダー（５０）に固定させ得る。この過程において、クランプ（７０）は、シム（３０）がインサート（１０）を支持する方向の反対方向にホルダー（５０）に向かってインサート（１０）を加圧するように構成され得る。
【００４１】
図３は、図１に示す切削工具組立体（１）をI-I方向に切断した断面図である、図４は、図１に示す切削工具組立体（１）をII-II方向に切断した断面図である。
【００４２】
図３を参考にすると、ホルダー（５０）には排出経路（５６）が形成され得る。流体は、排出経路（５６）を介してホルダー（５０）に形成された排出口（５０ａ、５０ｂ）に排出され得る。排出された流体は、被削材の切削過程で発生するチップを被削材の加工面から除去することができる。また、排出された流体は、チップがインサート（１０）に融着されることを防止するために被削材を冷却させ得る。
【００４３】
クランプ（７０）の下部には、インサート（１０）が配置された方向に突出した第１突出部（７２）及び第２突出部（７３）が形成され得る。第１突出部（７２）は、インサート（１０）の開口（１１）の少なくとも一部に挿入されるように構成され得る。また、ホルダー（５０）には溝（５２）が備えられ得、第２突出部（７２）は溝（５２）の少なくとも一部に挿入されるように構成され得る。クランプ（７０）は、第１スクリュ（６０）によりインサート（１０）に向かう方向に移動しながらホルダー（５０）に結合され、この過程でインサート（１０）の上面を加圧して支持することができる。クランプ（７０）の第１及び第２突出部（７１、７２）がそれぞれ、インサート（１０）の開口（１１）及びホルダー（５０）の溝（５２）に挿入されるため、クランプ（７０）の両側支持構造が確保され、クランプ（７０）が安定的にホルダー（５０）に固定され得る。
【００４４】
一実施例において、クランプ（７０）は、第１突出部（７２）が突出する内面（７４）を含み得る。内面（７４）は、インサート（１０）の第１インサート中央部（１６）の一部と接触するように構成され得る。従って、インサート（１０）がホルダー（５０）に結合される過程において、インサート（１０）の下面はシム（３０）により支持され得、インサート（１０）の上面は第１インサート中央部（１６）の一部と接触するクランプ（７０）の内面（７４）により支持され得る。
【００４５】
図５は、本開示の一実施例によるインサート（１０）を示す斜視図である。
【００４６】
図５を参考にすると、Ｚ軸方向と平行な厚さ方向中心線（Ｍ１）及びＸ軸方向と平行な長手方向中心線（Ｍ２）は、インサート（１０）の質量中心点（ＣＭ）で交差することができる。
【００４７】
インサート（１０）は、切削インサートとして用いられ得、多様な大きさの切削角度、傾斜角度、または、厚さを有する複数のインサートの中から１つ選択され得る。また、インサート（１０）は、前記複数のインサートの中から被削材の材料、加工条件、または、摩耗度などの条件に応じて選択され得る。
【００４８】
インサート（１０）は、第１〜第４インサートコーナ部（１２、１３、１４、１５）を含む四角形の形状に形成され得る。四角形の形状は、例えば、菱形形状であってもよい。第１及び第３インサートコーナ部（１２、１４）は、Ｘ軸方向に沿って配置され得る。また、第２及び第４インサートコーナ部（１３、１５）は、Ｙ軸方向に沿って配置され得る。即ち、第１及び第３インサートコーナ部（１２、１４）の間の距離は、菱形の長軸であってもよく、第２及び第４インサートコーナ部（１３、１５）の間の距離は、菱形の短軸であってもよい。
【００４９】
第１切削部（１２０）は、第２インサートコーナ部（１３）及び第４インサートコーナ部（１５）のそれぞれから第１インサートコーナ部（１２）に向かって延長するように形成され得る。第２切削部（１４０）は、第２インサートコーナ部（１３）及び第４インサートコーナ部（１５）のそれぞれから第３インサートコーナ部（１４）に向かって延長するように形成され得る。また、第１及び第２切削部（１２０、１４０）は、鋭い切削刃先を備えて被削材と接触するように構成され得る。
【００５０】
一実施例によると、インサート（１０）は、上面（１０ａ）及び長手方向中心線（Ｍ１）を基準として上面（１０ａ）に対して対称形状を有するように構成された下面（１０ｂ）を含み得る。また、第１インサートコーナ部（１２）及び第３インサートコーナ部（１４）の間には、厚さ方向中心線（Ｍ２）を含み、開口（１１）を有する第１インサート中央部（１６）が配置され得る。開口（１１）は、第１インサート中央部（１６）をＺ軸方向に貫通するように形成され得る。即ち、上面（１０ａ）は、第１インサート中央部（１６）内に位置した質量中心点（ＣＭ）を長手方向に通過する長手方向中心線（Ｍ２）の上側に配置され、下面（１０ｂ）は長手方向中心線（Ｍ２）の下側に配置され得る。また、上面（１０ａ）及び下面（１０ｂ）の間には、第４インサートコーナ部（１５）を取り囲む第１側面（２１）及び第１インサートコーナ部（１２）を取り囲む第２側面（２２）が配置され得る。
【００５１】
上面（１０ａ）には、第１〜第６傾斜装着部が形成され得、下面（１０ｂ）には、上面（１０ａ）の前記第１〜第６傾斜装着部と同一の構造を有する第７〜第１２傾斜装着部が形成され得る。第１〜第１２傾斜装着部の詳しい構造は、後述する。
【００５２】
一実施例によると、第１切削部（１２０）及び第１インサート中央部（１６）の間に第１傾斜装着部（１７１）が形成され得る。また、第２切削部（１４０）及び第１インサート中央部（１６）の間に第４傾斜装着部（１８１）が形成され得る。第１及び第４傾斜装着部（１７１、１８１）は、Ｘ軸及びＺ軸を含む断面方向における厚さが第１及び第２切削部（１２０、１４０）の厚さより厚くなるようにそれぞれ構成され得る。
【００５３】
第１インサート中央部（１６）と第１傾斜装着部（１７１）との間には、第１傾斜連結部（１７２）が形成され得る。また、第１インサート中央部（１６）と第４傾斜装着部（１８１）との間には、第２傾斜連結部（１８２）が形成され得る。第１傾斜連結部（１７２）は、第１傾斜装着部（１７１）より低いＺ軸方向の高さを有し得る。また、第２傾斜連結部（１８２）は、第２傾斜装着部（１８１）より低いＺ軸方向の高さを有し得る。
【００５４】
第１及び第４傾斜装着部（１７１、１８１）はそれぞれ、第１及び第３インサートコーナ部（１２、１４）とインサート中央部（１６）との間で上面（１０ａ）の四角形の形状に対する垂直厚さが、厚さ方向中心線（Ｍ１）に向かうほど減少するように形成され得る。即ち、第１及び第４傾斜装着部（１７１、１８１）はそれぞれ、第１インサート中央部（１６）に向かって傾くことができる。従って、第１及び第４傾斜装着部（１７１、１８１）の傾きの符号は互いに反対となり得る。また、第１及び第４傾斜装着部（１７１、１８１）は、厚さ方向中心線（Ｍ１）を中心に対称の形状を有し得る。
【００５５】
一実施例によると、第１インサート中央部（１６）と隣接する位置に第１シート部（ｓｅａｔ ｐｏｒｔｉｏｎ、１３０）及び第２シート部（１５０）が形成され得る。第１シート部（１３０）は第２インサートコーナ部（１３）に形成され、第２シート部（１５０）は第４インサートコーナ部（１５）に形成され得る。第１シート部（１３０）のＸ軸方向の両端部及び第２シート部（１５０）のＸ軸方向の両端部のそれぞれは、長手方向中心線（Ｍ２）に向かって窪んだ形状を有し得る。
【００５６】
第１シート部（１３０）には、第２及び第５傾斜装着部（１３１、１３２）が形成され得る。第２シート部（１５０）には、第３及び第６傾斜装着部（１５１、１５２）が形成され得る。第２及び第５傾斜装着部（１３１、１３２）は、厚さ方向中心線（Ｍ１）を中心に互いに対称の形状を有し得る。また、第３及び第６傾斜装着部（１５１、１５２）は、厚さ方向中心線（Ｍ１）を中心に互いに対称の形状を有し得る。
【００５７】
図６は、図５に示すインサート（１０）の上面（１０ａ）を示す上面図である。
【００５８】
インサート（１０）の上面（１０ａ）は、Ｘ軸及びＹ軸を含む平面の方向で菱形形状を有し得る。一実施例によると、第１切削部（１２０）は、被削材と接触するように構成された第１切削刃先（１２１）及び第２切削刃先（１２２）を含み得る。第２切削部（１４０）は、被削材と接触するように構成された第３切削刃先（１４１）及び第４切削刃先（１４２）を含み得る。また、第１及び第２切削刃先（１２１、１２２）が続く部分及び第３及び第４切削刃先（１４１、１４２）が続く部分には、ラウンドされたコーナ部（１２４、１４４）が形成され得る。
【００５９】
一実施例によると、第１切削刃先（１２１）及び第２切削刃先（１２２）は、所定角度（α）を形成するように構成され得、第３切削刃先（１４１）及び第４切削刃先（１４２）は、所定角度（α）を形成するように構成され得る。前記所定角度（α）は、４０°〜５０°の間の角度に設定され得る。例えば、所定角度（α）は４５°であってもよい。
【００６０】
一実施例によると、第１及び第２切削部（１２０、１４０）のそれぞれは、複数の凸面及び複数の凹面が繰り返されるように構成された凹凸面（１２３、１４３）を含み得る。凹凸面（１２３、１４３）は、第１及び第２切削部（１２０、１４０）に繰り返し配列され得る。第１及び第２切削刃先（１２１、１４２）と第３及び第４切削刃先（１４１、１４２）は、凹んだ部分と出っ張った部分が繰り返されるように構成され得る。これにより、第１及び第２切削刃先（１２１、１４２）と第３及び第４切削刃先（１４１、１４２）が部分的に摩耗しても一度に面取りが発生されず、鋭い刃形状をさらに長い間維持することができる。従って、第１及び第２切削部（１２０、１４０）の摩耗寿命を向上させ得る。
【００６１】
図７は、図５に示すインサート（１０）の第1側面（２１）を示す側面図である。図７において、インサート（１０）は、第１側面（２１）を見る方向に図示されている。図７において括弧中に記載された参照番号は、第２側面（２２）から見た構成要素を示す。
【００６２】
インサート（１０）の下面（１０ｂ）は、第５〜第８コーナ部（１９、２３、２０、２５）を含み得る。互いに向き合う第５及び第７コーナ部（１９、２０）の間には、第２インサート中央部（２６）が形成され得る。第６コーナ部（２３）には、第３シート部（２３０）が形成され、第８コーナ部（２５）には、第４シート部（２５０）が形成され得る。
【００６３】
一実施例において、インサート（１０）は、被削材を切削するようにそれぞれ構成された第１〜第４切削部（１２０、１４０、１９０、２００）を含み得る。インサート（１０）の上面（１０ａ）には、第１及び第２切削部（１２０、１４０）が形成され得、インサート（１０）の下面（１０ｂ）には、第３及び第４切削部（１９０、２００）が形成され得る。従って、インサート（１０）は、上面（１０ａ）及び下面（１０ｂ）をいずれも用いることができるため、切削工具組立体（１）内で４つの互いに異なる配置形態を活用して被削材を切削することができる。また、第１〜第４切削部（１２０、１４０、１９０、２００）はそれぞれ、被削材を接触時に接触面と同一の角度をなし得る。
【００６４】
インサート（１０）の上面（１０ａ）において、第１切削部（１２０）は第１方向に傾き、第２切削部（１４０）は第１方向と異なる第２方向に傾くことができる。例えば、第１方向の傾きと第２方向の傾きは互いに反対の符号を有し得る。また、第１〜第３傾斜装着部（１７１、１３１、１５１）はそれぞれ、第１方向に傾くことができる。第４〜第６傾斜装着部（１８１、１３２、１５２）はそれぞれ、第２方向に傾くことができる。
【００６５】
インサート（１０）の下面（１０ｂ）において、第７傾斜装着部（１９１）は、第３切削部（１９０）と第２インサート中央部（２６）との間に形成され、第１０傾斜装着部（２０１）は、第４切削部（２００）と第２インサート中央部（２６）との間に形成され得る。また、第７及び第１０傾斜装着部（１９１、２０１）はそれぞれ、四角形の形状に対する垂直厚さが、第３及び第４切削部（１９０、２００）から厚さ方向中心線（Ｍ１）に向かって減少するように構成され得る。
【００６６】
第３シート部（２３０）には、第８及び第１１傾斜装着部（２３１、２３２）が形成され得る。第４シート部（２５０）には、第９及び第１２傾斜装着部（２５１、２５２）が形成され得る。また、第８及び第１１傾斜装着部（２３１、２３２）は、厚さ方向中心線（Ｍ１）を基準として互いに反対方向に傾くように構成され、第９及び第１２傾斜装着部（２５１、２５２）は、厚さ方向中心線（Ｍ１）を基準として互いに反対方向に傾くように構成され得る。
【００６７】
インサート（１０）の下面（１０ｂ）において、第３切削部（１９０）は第２方向に傾き、第４切削部（２００）は第１方向に傾くことができる。第７〜及び第９傾斜装着部（１９１、２３１、２５１）はそれぞれ、第２方向に傾くことができる。第１０〜第１２傾斜装着部（２０１、２３２、２５２）はそれぞれ、第１方向に傾くことができる。
【００６８】
一実施例によると、長手方向中心線（Ｍ２）と第１及び第３切削部（１２０、１９０）は、所定角度（β）を形成するように構成され得、長手方向中心線（Ｍ２）と第２及び第４切削部（１８０、２００）は、所定角度（β）を形成するように構成され得る。前記所定角度（β）は、１０°〜１５°の間の角度であってもよい。例えば、前記所定角度（β）は、１２°であってもよい。
【００６９】
第２インサート中央部（２６）と第７傾斜装着部（１９１）との間には、第３傾斜連結部（１９２）が形成され得る。また、第２インサート中央部（２６）と第１０傾斜装着部（２０１）との間には第４傾斜連結部（２０２）が形成され得る。下面（１０ｂ）がＺ軸に対して上側に位置した状態で、第３傾斜連結部（１９２）は第７傾斜装着部（１９１）より低いＺ軸方向の高さを有し得、第４傾斜連結部（２０２）は第１０傾斜装着部（２０１）より低いＺ軸方向の高さを有し得る。
【００７０】
一実施例において、第１及び第２シート部（１３０、１５０）の最高点（１３３、１５３）と第３及び第４シート部（１３０、１５０）の最高点（２３３、２５３）との間のＺ軸方向厚さ（Ｔ）は、第１インサート中央部（１６）の厚さ及び第２インサート中央部（２６）の厚さの合計より大きくてもよい。また、前記厚さ（Ｔ）は、第１傾斜連結部（１７２）の開始点（Ｐ１）と第３傾斜連結部（１９２）の開始点（Ｐ３）との間のＺ軸方向厚さ（ｔ１）または第２傾斜連結部（１８２）の開始点（Ｐ２）と第２傾斜連結部（２０２）の開始点（Ｐ４）との間のＺ軸方向厚さ（ｔ２）より大きくてもよい。これにより、インサート（１０）の短軸方向におけるコーナ部分の厚さが補強され得るため、インサート（１０）の短軸方向の強度が向上させ得る。
【００７１】
図８は、図５に示すインサート（１０）をIII-III方向に切断した断面図である。
【００７２】
インサート（１０）の上面（１０ａ）において、第１〜第６傾斜装着部（１７１、１８１、１３１、１５１、１３２、１５２）はそれぞれ、長手方向中心線（Ｍ２）に対して凸な曲面で形成され得る。例えば、第１〜第６傾斜装着部（１７１、１８１、１３１、１５１、１３２、１５２）はそれぞれ、球面の一部で形成され得る。これを通じて、第１〜第６傾斜装着部（１７１、１８１、１３１、１５１、１３２、１５２）とこれを支持するシムまたはホルダーとの点接触が誘導され得る。
【００７３】
インサート（１０）の下面（１０ｂ）において、第７〜第１２傾斜装着部（１９１、２３１、２５１、２０１、２３２、２５２）はそれぞれ、長手方向中心線（Ｍ２）に対して凸な曲面で形成され得る。例えば、第７〜第１２傾斜装着部（１９１、２３１、２５１、２０１、２３２、２５２）はそれぞれ、球面の一部で形成され得る。これを通じて、第７〜第１２傾斜装着部（１９１、２３１、２５１、２０１、２３２、２５２）とこれを支持するシムまたはホルダーとの点接触が誘導され得る。
【００７４】
一実施例において、第１〜第３傾斜装着部（１７１、１３１、１５１）のそれぞれは、第１〜第３接点（Ｃ１、Ｃ２、Ｃ３）を含み得る。第１接点（Ｃ１）と第２または第３接点（Ｃ２、Ｃ３）を連結した第２連結線（Ｌ２）は、長手方向中心線（Ｍ１）と所定の角度をなし得る。また、第１接点（Ｃ１）を通りながら第１切削部（１２０）の第１及び第２切削刃先（１２１、１２２）と平行に延長する第１連結線（Ｌ１）は第２連結線（Ｌ２）と平行でなくてもよい。また、第２及び第３接点（Ｃ２、Ｃ３）は、長手方向中心線（Ｍ２）を基準として第１連結線（Ｌ１）の上側に位置し得る。
【００７５】
他の実施例において、第１〜第６傾斜装着部（１７１、１８１、１３１、１５１、１３２、１５２）は、それぞれが平らな面で形成される第１〜第６装着面を含み得る。また、第７〜第１２傾斜装着部（１９１、２３１、２５１、２０１、２３２、２５２）は、それぞれが平らな面で形成される第７〜第１２装着面を含み得る。
【００７６】
第１及び第７傾斜装着部（１７１、１９１）は、長手方向中心線（Ｍ２）を基準として第１及び第３切削部（１２０、１９０）の上に配置され得る。第２及び第１０傾斜装着部（１８１、２０１）は、長手方向中心線（Ｍ２）を基準として第２及び第４切削部（１４０、２００）の上に配置され得る。従って、インサート（１０）がシム（３０）により支持される時に、シム（３０）は、第１〜第４切削部（１２０、１４０、１９０、２００）と接触せず、第１、第２、第７及び第１０傾斜装着部（１７１、１８１、１９１、２０１）のいずれかと接触するように構成され得る。従って、インサート（１０）は、シム（３０）により加圧されても、第１〜第４切削部（１２０、１４０、１９０、２００）は損傷されない。
【００７７】
図９は、本開示の一実施例によるシム（３０）を示す斜視図である。
【００７８】
シム（３０）は、インサート（１０）を支持するように構成され得る。シム（３０）の上面（３０ａ）及び下面（３０ｂ）は、長手方向中心線（Ｍ４）を基準として非対称形状を有し得る。また、シム（３０）は、厚さ方向中心線（Ｍ３）を基準として非対称形状を有し得る。従って、シム中心（ＣＮ）は、シム（３０）の幾何学的中心に対応し、その質量中心に対応しない。上面（３０ａ）は、複数の傾斜支持部を含み得る。下面（３０ｂ）は、概ね平らな面で構成され得る。
【００７９】
一実施例によると、シム（３０）は、第１〜第４シムコーナ部（３２、３３、３４、３５）を含むように四角形の形状に形成され得る。四角形の形状は、例えば、概ね菱形形状であってもよい。第２コーナ部（３３）及び第４コーナ部（３５）の間には、開口（３１）を有するシム中央部（３６）が形成され得る。また、第２及び第４コーナ部（３３、３５）の高さは、シム中央部（３６）の高さよりＺ軸方向にさらに大きくてもよい。また、第３コーナ部（３４）には、傾斜部（３４１）及びＸ軸に垂直なように端部で切断された端面（３４２）が形成され得る。
【００８０】
第１傾斜支持部（３２１）は、第１シムコーナ部（３２）、第２シムコーナ部（３３）、及び第３シムコーナ部（３４）の間に形成され得る。第１傾斜支持部（３２１）は、１つの連続する面で構成され得る。第２傾斜支持部（３３１）は、第２シムコーナ部（３３）に形成され得る。また、第３傾斜支持部（３５１）は、第４シムコーナ部（３５）に形成され得る。図９を参考にすると、第２及び第３傾斜支持部（３３１、３５１）は、第１傾斜支持部（３２１）と断絶せずに続くように構成され得る。
【００８１】
一実施例において、第１〜第３傾斜支持部（３２１、３３１、３５１）は、長手方向中心線（Ｍ４）に対して凸な曲面で形成され得る。他の実施例において、第１〜第３傾斜支持部（３２１、３３１、３５１）はそれぞれ平らな面で形成され、シム（１０）と接触するように構成された第１〜第３支持面を含み得る。
【００８２】
第１傾斜支持部（３２１）と第２傾斜支持部（３３１）との間には第１曲面（３７１）が形成され得る。また、第１傾斜支持部（３２１）と第３傾斜支持部（３３１）との間には、第２曲面（３８１）が形成され得る。第１及び第２曲面（３７１、３８１）のそれぞれは、互いに異なる曲率を有する複数の曲面を含み得る。また、第１及び第２曲面（３７１、３８１）は、インサート（１０）と接触しないように長手方向中心線（Ｍ４）に向かって凹んでいてもよい。
【００８３】
図７を参考にすると、第１傾斜支持部（３２１）は、インサート（１０）の第１、第２、第７及び第１０傾斜装着部（１７１、１８１、１９１、２０１）のいずれかと接触するように構成され得る。第２傾斜支持部（３３１）は、インサート（１０）の第２、第６、第８及び第１２傾斜装着部（１３１、１５２、２３１、２５２）のいずれかを接触して支持するように構成され得る。第３傾斜支持部（３５１）は、インサート（１０）の第３、第５、第９及び第１１傾斜装着部（１５１、１３２、２５１、２３２）のいずれかを接触して支持するように構成され得る。
【００８４】
シム（３０）の上面（３０ａ）がインサート（１０）の上面（１０ａ）と向き合う場合、例えば、シム（３０）の第１〜第３傾斜支持部（３２１、３３１、３５１）はインサート（１０）の第１〜第３傾斜装着部（１７１、１３１、１５１）とそれぞれ接触するように構成され得る。他の例として、シム（３０）の第１〜第３傾斜支持部（３２１、３３１、３５１）は、インサート（１０）の第４〜第６傾斜装着部（１８１、１３２、１５２）とそれぞれ接触するように構成され得る。
【００８５】
シム（３０）の上面（３０ａ）がインサート（１０）の下面（１０ｂ）と向き合う場合、例えば、シム（３０）の第１〜第３傾斜支持部（３２１、３３１、３５１）は、インサート（１０）の第７〜第９傾斜装着部（１９１、２３１、２５１）とそれぞれ接触するように構成され得る。他の例として、シム（３０）の第１〜第３傾斜支持部（３２１、３３１、３５１）は、インサート（１０）の第１０〜第１２傾斜装着部（２０１、２３２、２５２）とそれぞれ接触するように構成され得る。
【００８６】
図９を参考にすると、第１傾斜支持部（３２１）は厚さ方向中心線（Ｍ３）の左側に配置され、第２及び第３傾斜支持部（３３１、３５１）は厚さ方向中心線（Ｍ３）の右側に配置され得る。即ち、第１傾斜支持部（３２１）と第２及び第３傾斜支持部（３３１、３５１）は、厚さ方向中心線（Ｍ３）を基準として互いに反対側に配置され得る。従って、シム（３０）は、所定距離以上に離間した３つの地点でインサート（１０）を支持することができる。これはインサート（１０）を堅固に支持することができるようにする。
【００８７】
一実施例によると、シム中央部（３６）は、第２及び第３傾斜支持部（３３１、３５１）の間に配置されてＺ軸方向に凹むように形成された凹部（３６１）を含み得る。凹部（３６１）は、シム（３０）がインサート（１０）と接触しても、凹部（３６１）が第１及び第２インサート中央部（１６、２６）と干渉が発生しないようにＺ軸方向に凹んだ形状を有し得る。また、シム（３０）の凹部（３６１）は、インサート（１０）の第１〜第４傾斜装着部（１７１、１８１、１９１、２０１）と接触しないように構成され得る。
【００８８】
図１０は、図９に示すシム（３０）をIV-IV向に切断した断面図である。
【００８９】
図１０を参考にすると、上面（３０ａ）の第２及び第３傾斜支持部（３３１、３５１）は、第１傾斜支持部（３２１）から延びる平面上に配置され得る。また、傾斜部（３４１）は、第１傾斜支持部（３２１）と反対方向に傾斜し得る。また、第３コーナ部（３４）は、下面（３０ｂ）と垂直になるように形成された端面（３４２）を有し得る。
【００９０】
シム中央部（３６）に形成された開口（３１）の一部を取り囲む内周面（３１１）は、その半径が下向きに減少するように傾斜し得る。内周面（３１１）は、図２に示す第２スクリュ（４０）のヘッドを支持することができる。従って、第２スクリュ（４０）がホルダー（５０）に結合する過程で第２スクリュ（４０）はシム（３０）の内周面（３１１）と接触し、シム（３０）をホルダー（５０）に固定させ得る。
【００９１】
図１１は、本開示の一実施例によるインサート（１０）とシム（３０）が分解された様子を示す分解斜視図であり、図１２は、図１１に示すインサート（１０）とシム（３０）が組み立てられた様子の側面を示す側面図である。
【００９２】
インサート（１０）の開口（１１）は、Ｚ軸を中心にシム（３０）の開口（３１）と同軸に整列することができる。一実施例において、インサート（１０）の上面（１０ａ）は、シム（３０）の上面（３０ａ）と向き合うように配置され得る。他の実施例において、インサート（１０）の下面（１０ｂ）は、シム（３０）の上面（３０ａ）と向き合うように配置され得る。
【００９３】
図１１を参考にすると、インサート（１０）の第１傾斜装着部（１７１）は、シム（３０）の第１傾斜支持部（３２１）に接触及び支持され得る。インサート（１０）の第２傾斜装着部（１３１）は、シム（３０）の第２傾斜支持部（３３１）に接触及び支持され得る。インサート（１０）の第３傾斜装着部（１５１）は、シム（３０）の第３傾斜支持部（３５１）に接触及び支持され得る。
【００９４】
他の例において、図１１に示す状態から、インサート（１０）はＺ軸を中心に１８０°回転することができる。この場合、インサート（１０）の第４傾斜装着部（１８１）は、シム（３０）の第１傾斜支持部（３２１）に接触されて支持され得る。インサート（１０）の第５傾斜装着部（１３２）は、シム（３０）の第３傾斜支持部（３５１）に接触及び支持され得る。インサート（１０）の第６傾斜装着部（１５２）は、シム（３０）の第２傾斜支持部（３５１）ｓに接触及び支持され得る。
【００９５】
図１２を参考にすると、第１傾斜装着部（１７１）の第１接点（Ｃ１）は、第１傾斜支持部（３２１）にポイントツーポイント接触して支持され得る。第２傾斜装着部（１３１）の第２接点（Ｃ２）は、第２傾斜支持部（３３１）にポイントツーポイント接触して支持され得る。第３傾斜装着部（１５１）の第３接点（Ｃ３）は、第３傾斜支持部（３５１）にポイントツーポイント接触して支持され得る。
【００９６】
上述の実施例によると、インサート（１０）の３つの傾斜装着部がシム（３０）の３つの傾斜支持部により支持される。従って、インサート（１０）はシム（３０）により堅固に支持されることにより、切削過程における切削品質が向上する。
【００９７】
図１３は、本開示の一実施例による切削工具組立体（１）が被削材（Ｗ）を切削する過程をインサート（１０）の上面（１０ａ）が見える方向に示す図である。
【００９８】
図１３を参考にすると、インサート（１０）の第１切削部（１２０）は、被削材（Ｗ）と接触して被削材（Ｗ）を切削することができる。被削材（Ｗ）は、回転軸（Ｒ）を中心に回転することができる。インサート（１０）が被削材（Ｗ）に対して右側方向（実線の矢印で表示）に移動する工程は、フォワードターニング（ＦＴ）工程と定義し得る。また、インサート（１０）が被削材（Ｗ）に対して左側方向（一点鎖線の矢印で表示）に移動する工程は、バックワードターニング（ＢＴ）工程と定義し得る。
【００９９】
バックワードターニング工程において、被削材（Ｗ）の加工面とインサート（１０）の第１切削部（１２０）は、所定角度（γ１）を形成することができる。前記所定角度（γ１）は、例えば、２０°〜２５°の間の角度であってもよい。例えば、前記所定角度（γ１）は２２．５°であってもよい。フォワードターニング工程において、被削材（Ｗ）の加工面とインサート（１０）の第１切削部（１２０）は、所定角度（γ２）を形成することができる。前記所定角度（γ２）は、例えば、１１０°〜１２０°の間の角度であってもよい。例えば、前記所定角度（γ１）は、１１２．５°であってもよい。
【０１００】
図２を参考にすると、本開示の一実施例によるインサート（１０）は、インサート中央部に向かって傾く切削部及び傾斜装着部を含む構成を有する。従って、インサート（１０）がホルダー（５０）に装着されてのフォワードターニング（ＦＴ）工程またはバックワードターニング（ＢＴ）工程時に、半径（ｒａｄｉｕｓ）形状の滑らかなチップ生成及び円滑なチップ排出が誘導され得る。これにより、切削が完了した被削材（Ｗ）の外面を損傷を与えずチップから保護することができる。また、被削材（Ｗ）とインサート（１０）が所定角度（γ１）をなすバックワードターニング（ＢＴ）工程で被削材（Ｗ）を加工する場合にも、一定のチップの厚さを得ることができ、高速移送加工工程においても滑らかなチップ排出と半径形状の滑らかなチップ発生を誘導することができる。
【０１０１】
図１４は、本開示の一実施例による切削工具組立体（１）が被削材を切削する過程をインサート（１０）の側面（２１）が見える方向で示す図である。
【０１０２】
インサート（１０）は、シム（３０）により支持され得る。図１３を参考にすると、被削材（Ｗ）は、回転軸（Ｒ）を中心に反時計方向（Ａ）で回転することができる。インサート（１０）の第１切削部（１２０）は、インサート中央部に向かって傾斜するように形成される。従って、回転軸（Ｒ）から延びた被削材（Ｗ）の中心線（Ｃ）と第１切削部（１２０）との間の角度は、実質的に０°であってもよい。この過程において、インサート（１０）は、被削材（Ｗ）に対してポジティブレイク角度を形成し得る。インサート（１０）が被削材（Ｗ）とポジティブレイク角度を形成する場合、被削材（Ｗ）と第１切削部（１２０）との間で形成された空間が十分である。従って従って、切削過程において一定の厚さと大きさを有するチップが生成され得る。
【０１０３】
図１５は、本開示の一実施例によるインサート（１０）で被削材（Ｗ）を切削する過程で発生するチップを示す図である。
【０１０４】
インサート（１０）の材料は、例えば、ＳＣＭ４４０であってもよい。被削材（Ｗ）の回転速度（ＶＡ）は２５０ｍ／ｍｉｎであってもよい。また、被削材（Ｗ）の1回転当たりの移送距離（Ｖ１）は、０．４ｍｍ／ｒｅｖであってもよい。また、被削材（Ｗ）の外径部切削深さ（Ｄ）は、１．５ｍｍであってもよい。被削材（Ｗ）の外径部は、インサート（１０）の第１切削部（１２０）により切削され得る。
【０１０５】
図１６は、本開示の他の実施例による切削工具組立体（２）の分解された様子を示す分解斜視図である。
【０１０６】
上述の実施例で説明された構成と重複した説明は省略する。上述の実施例とは異なり、切削工具組立体（２）は、図２に示すシム（３０）及び第２スクリュ（４０）を採択しない。
【０１０７】
切削工具組立体（２）は、インサート（１０）、クランプ（７０）、ホルダー（８０）及び第１スクリュ（６０）を含み得る。例えば、インサート（１０）の上面（１０ａ）は、クランプ（７０）により支持され得る。これとは異なり、インサート（１０）が裏返される時に、下面（１０ｂ）はクランプ（７０）により支持され得る。また、切削機械（図示せず）は、ホルダー（８０）の本体（８５）をホールディングすることができる。
【０１０８】
クランプ（７０）は、内部に開口（７１）が形成された「Ｔ字型」クランプであってもよい。ホルダー（８０）には、第１スクリュ（６０）との結合のためのスクリュ収容部（８１）が備えられ得る。クランプ（７０）は、第１スクリュ（６０）により、ホルダー（８０）に結合され得る。即ち、第１スクリュ（６０）は、クランプ（７０）の開口（７１）を貫通してクランプ（７０）をホルダー（８０）に固定させ得る。この過程において、クランプ（７０）はインサート（１０）をホルダー（８０）側に押すように構成され得る。
【０１０９】
一実施例において、ホルダー（８０）には、インサート（１０）を収容する収容部（８３）が備えられ得る。収容部（８３）は、インサート（１０）の形状に対応する形状を有し得る。収容部（８３）の底面（８７）は、インサート（１０）の上面（１０ａ）または下面（１０ｂ）を支持するように構成され得る。例えば、底面（８７）は、インサート（１０）の上面（１０ａ）または下面（１０ｂ）と相補的な形状を有し得る。
【０１１０】
一実施例において、底面（８７）は、図９に示すシム（３０）の上面（３０ａ）と同一の形状を有し得る。従って、ホルダー（８０）には、図９に示すシム（３０）の構成が反映される。即ち、底面（８７）は、シム（３０）の上面（３０ａ）と一体化した形状を有し得る。本実施例において、図２に示すシム（３０）及び第２スクリュ（４０）が不要なため、部品全体の数が減る。従って、生産原価を節減することができる。
【０１１１】
本開示の多様な実施例による切削工具組立体において、インサートの切削部は中央部に向かって傾くように形成される。従って、インサートの切削部は、被削材の切削面とポジティブレイク角度を形成することができる。従って、切削加工時に形成されるチップが一定の厚さと形状を有するように誘導され得る。また、本開示のインサートは、被削材（Ｗ）との溶着及び切削抵抗を最小化して加工表面粗度、工具寿命及びチップ処理能力を向上させ得る。
【０１１２】
以上、一部実施例と添付の図面に示す例により本開示の技術的思想を説明したものの、本開示が属する技術分野で通常の知識を有する者が理解できる本開示の技術的思想及び範囲を逸脱しない範囲で多様な置換、変形及び変更がなされ得るという点を知るべきであろう。また、そのような置換、変形及び変更は、添付の請求の範囲内に属するものと考えられるべきである。
【図１】
2021519218.tif 000003
【図２】
2021519218.tif 000004
【図３】
2021519218.tif 000005
【図４】
2021519218.tif 000006
【図５】
2021519218.tif 000007
【図６】
2021519218.tif 000008
【図７】
2021519218.tif 000009
【図８】
2021519218.tif 000010
【図９】
2021519218.tif 000011
【図１０】
2021519218.tif 000012
【図１１】
2021519218.tif 000013
【図１２】
2021519218.tif 000014
【図１３】
2021519218.tif 000015
【図１４】
2021519218.tif 000016
【図１５】
2021519218.tif 000017
【図１６】
2021519218.tif 000018
【国際調査報告】
2021519218.tif 000019
2021519218.tif 000020
2021519218.tif 000021